(57)【要約】【課題】ユーザーが手にした携帯電話玩具と動作玩具との間で擬似の会話をすることができる擬似コミュニケーション玩具を提供すること。【解決手段】携帯電話玩具Ａには、ユーザーが操作する操作部１と、ユーザーの音声を検出する音声検出部２と、動作玩具Ｂの擬似応答音声及び携帯電話の擬似音を出力する音声出力部３と、上記動作玩具Ｂを動作させる作動信号を発信する発信部４と、上記操作部１の操作信号、音声検出部２の検出信号に基づいて上記音声出力部３、発信部４を作動制御する制御部５とを備え、動作玩具Ｂには該動作玩具Ｂを動作させる動作機構１５と、上記携帯電話玩具Ａが発信する作動信号を受信する受信部１０と、該受信部１０の受信した作動信号に基づいて上記動作機構１５を作動させる制御部１４とを備えた。【選択図】　　　　図１
2004065595.tif 000002
【特許請求の範囲】
【請求項１】
ユーザーが手にした携帯電話玩具と、離れた場所に置かれた動作玩具との間で擬似電話を行なう以下の要件を備えることを特徴とする擬似コミュニケーション玩具。
（イ）上記携帯電話玩具には、ユーザーが操作する操作部と、ユーザーの音声を検出する音声検出部と、動作玩具の擬似応答音声及び携帯電話の擬似音を出力する音声出力部と、上記動作玩具を動作させる作動信号を発信する発信部と、上記操作部の操作信号、音声検出部の検出信号に基づいて上記音声出力部、発信部を作動制御する制御部とを備えること
（ロ）動作玩具には該動作玩具を動作させる動作機構と、上記携帯電話玩具が発信する作動信号を受信する受信部と、該受信部の受信した作動信号に基づいて上記動作機構を作動させる制御部とを備えること
【請求項２】
前記発信部は前記音声検出部が音声を検出すると、該音声に擬似応答する動作玩具の音声を前記音声出力部に出力させるとともに、前記動作玩具を動作させる作動信号を前記発信部に発信させる、請求項１記載の擬似コミュニケーション玩具。
【発明の詳細な説明】
【０００１】
【発明の属する技術分野】
本発明は、擬似コミュニケーション玩具に関する。
【０００２】
【従来の技術】
従来、ユーザーと玩具体との間で擬似の会話を行なう擬似コミュニケーション玩具として様々な玩具が提案され、実用に供されている。これらの擬似コミュニケーション玩具は玩具体にユーザーが話し掛けたことにより、玩具体が音声で応答するものであった。
【０００３】
【発明が解決しようとする課題】
しかしながら、従来の擬似コミュニケーション玩具は玩具体がユーザーの話し掛けに対応して擬似応答音声を出力するが、近年携帯電話が子供たちに普及し、直接相手と向かい合って話をするのではなく、携帯電話を介して会話を行なうようになり、携帯電話を用いた玩具が提案されているが、擬似で言葉のやり取りができても、その相手がいないため楽しさも半減する問題があった。
【０００４】
本発明は上記問題点を解消し、ユーザーが手にした携帯電話玩具と動作玩具との間で擬似の会話をすることができる擬似コミュニケーション玩具を提供することをその課題とする。
【０００５】
【課題を解決するための手段】
前記課題を解決するため、本発明に係る擬似コミュニケーション玩具は、ユーザーが手にした携帯電話玩具と、離れた場所に置かれた動作玩具との間で擬似電話を行なう以下の要件を備えることを特徴とする。
（イ）上記携帯電話玩具には、ユーザーが操作する操作部と、ユーザーの音声を検出する音声検出部と、動作玩具の音声及び携帯電話の擬似音を出力する音声出力部と、上記動作玩具を作動させる作動信号を発信する発信部と、上記操作部の操作信号、音声検出部の検出信号に基づいて上記音声出力部、発信部を作動制御する制御部とを備えること
（ロ）動作玩具には該動作玩具を動作させる動作機構と、上記携帯電話玩具が発信する作動信号を受信する受信部と、該受信部の受信した作動信号に基づいて上記動作機構を作動させる制御部とを備えること
【０００６】
なお、前記発信部は前記音声検出部が音声を検出すると、該音声に擬似応答する動作玩具の音声を前記音声出力部に出力させるとともに、前記動作玩具を動作させる作動信号を前記発信部に発信させるようにすればよい。
【０００７】
【発明の実施の形態】
図１は、本発明に係る擬似コミュニケーション玩具の一例を示し、この擬似コミュニケーション玩具は携帯電話を模した携帯電話玩具Ａと、携帯電話を模した形象物Ａ’を保持した動作玩具Ｂとの組合せから構成されている。
【０００８】
携帯電話玩具Ａは、図２に示すように、ユーザーが操作する操作部１と、ユーザーの音声を検出する音声検出部２と、動作玩具Ｂの音声及び携帯電話の擬似音を出力する音声出力部３と、上記動作玩具Ｂを作動させる作動信号を発信する発信部４と、上記操作部１の操作信号又は音声検出部２の検出信号に基づいて上記音声出力部３及び発信部４を作動制御する制御部５とを備え、ディスプレイの位置には動作玩具と同じ絵又は写真ａが印刷されたシールが貼着され、このシールは透明なプレートで覆われている。
【０００９】
操作部１は電源ＯＮボタン１ａとダイヤルボタン１ｂと発信ボタン１ｃとさよならボタン１ｄとで構成されている。
【００１０】
電源ＯＮボタン１ａを押すとスイッチＳＷ１がＯＮして電源がＯＮすると、ベル音が出力されるとともにアンテナの先に取り付けられたＬＥＤ６が点灯する。
【００１１】
ダイヤルボタン１ｂを押すとスイッチＳＷ２がＯＮしてトーン信号音が出力されあたかも電話番号を入力しているような効果を作り出す。ダイヤルボタン１ｂは０〜９の何れのボタンを押しても１つのスイッチＳＷ２がＯＮするようになっており、スイッチＳＷ２がＯＮしたとき出力されるトーン信号音はメモリからランダムに選択されて出力されるようになっている。
【００１２】
発信ボタン１ｃは動作玩具Ｂを動作可能状態にするための作動信号を発信するためのもので、この発信ボタン１ｃが押されるとスイッチＳＷ３がＯＮして恰もダイヤルアップしているようなトーン信号音が音声出力部（スピーカ）３から出力され、動作玩具Ｂが電話に出て恰も応答しているような擬似応答音声（例えば、「もしもし、わたしＸＸＸ」）が音声出力部（スピーカ）３から出力されるとともに、この擬似応答音声の出力されている間だけ動作玩具Ｂを動作させる作動信号が発信部（赤外線ＬＥＤ）４によって発信される。
【００１３】
さよならボタン１ｄは電話を切るときに押すボタンで、押されるとスイッチＳＷ４がＯＮして動作玩具Ｂの擬似応答音声（例えば「さよなら、またねー」がスピーカ３から出力されるとともに、この擬似応答音声の出力されている間だけ動作玩具Ｂを動作させる作動信号が発信部（赤外線ＬＥＤ）４によって発信された後に電源がＯＦＦする。
【００１４】
動作玩具Ｂは動物のぬいぐるみや人形などで構成されていればよく、携帯電話玩具Ａが発信する赤外線信号を受信する受信部１０と、受信部１０が受信した信号に基づいてモータ１１の作動及びＬＥＤ１３の点灯を行なう制御部１４と、モータ１１を駆動力として身体を動かす動作機構１５とが配置されている（図１参照）。
【００１５】
動作機構１５は、図３に示すように、モータ１１の回転軸に固定されたプーリ２５と、ベルト２６を介して回転するプーリ２７と、このプーリ２７と同軸上に設けられた歯車２８と、この歯車２８に噛合する歯車２９と、この歯車２９と同軸上に設けられた円板３０と、この円板３０に形成された偏心軸３１と、該偏心軸３１と左右に揺動可能に軸支された揺動部材３２とを連結するリンク３３とから構成され、モータ１１が回転するとプーリ２５、ベルト２６、プーリ２７、歯車２８、歯車２９を介して円板３０が回転し、偏心軸３１に連結されたリンク３３を介して揺動部材３２が支軸３４を中心に左右に揺動し、動作玩具Ｂの頭部Ｂ１が胴体部Ｂ２に対して左右に揺動するようになっている（図４（ａ）（ｂ）参照）。
【００１６】
図５は、擬似コミュニケーション玩具の電気的構成を示すブロック図で、携帯電話玩具Ａには、操作部１（ＳＷ１〜ＳＷ４）、音声検出部（マイク）２、音声出力部（スピーカ）３、発信部（赤外線ＬＥＤ）４、発光表示部（ＬＥＤ）６が制御部５の制御下におかれている。制御部５はプログラマブル音声合成ＩＣで構成され、内蔵したメモリに記憶された制御プログラムに基づいて携帯電話玩具Ａ全体の作動態様を制御している。
【００１７】
動作玩具Ｂには、赤外線信号を受信する受信部１０、モータ１１のドライブ回路１２及びＬＥＤ１３が制御部１４の制御下におかれている。この制御部１４はマイコンで構成され内蔵したメモリに記憶された制御プログラムに基づいて動作玩具Ｂの作動態様を制御している。
【００１８】
この動作玩具Ｂは、携帯電話玩具Ａから発信される作動信号を受信すると制御部１４は作動信号の受信時間だけモータ１１を駆動する駆動信号を出力するとともに、ＬＥＤ１３を点滅させるようにプログラミングされている。
【００１９】
上記構成の擬似コミュニケーション玩具の使用態様を図６のフローチャート図に基づいて説明する。
【００２０】
電源ＯＮボタン１ａ（ＳＷ１がＯＮ）を押すと、動作開始を知らせるベル音とともにＬＥＤ６が点滅するスタート動作を行ない（ステップＳＴ１）、ステップＳＴ２でボタンが押されるのを待つ。ボタンが押されると、ステップＳＴ３に進んで押されたボタンがダイヤルボタン１ｂか否かを判断し、ダイヤルボタン１ｂ（ＳＷ２がＯＮ）であれば０から９までのダイヤルボタンに対応したトーン信号音の中からランダムに選択されたトーン信号音が出力される（ステップＳＴ４）。この操作は発信ボタン１ｃが押されるまで繰り返される。
【００２１】
押されたボタンが発信ボタン１ｃ（ＳＷ３がＯＮ）であれば（ステップＳＴ５）、ステップＳＴ６に進んで、ダイヤルアップの音に続いて呼び出し音を出力した後、ステップＳＴ７で動作玩具の応答音声（例えば「もしもし、わたしＸＸＸ」）が出力される。この応答音声を出力する際に同時に作動信号が発信される。
この作動信号を動作玩具Ｂが受信すると、モータ１１を応答音声の出力されている時間だけ動作させて動作機構１５を作動させるとともに携帯電話のＬＥＤ１３を点滅させるので、あたかも動作玩具Ｂが話しているように見せることができる。
【００２２】
作動信号を出力した後は、ステップＳＴ８に進んで、マイク２が音声を検出するのを待つ。使用者が携帯電話に話し掛けるとマイク２がその音声を検出し、ステップＳＴ９に進んで、擬似応答音声データの中からランダムに選択した動作玩具の擬似応答音声を出力する。このとき、同時に擬似応答音声の出力されている時間だけ作動信号を発信する。
【００２３】
作動信号を受信した動作玩具Ｂは作動信号を受信している時間だけモータ１１を作動させるとともに携帯電話のＬＥＤ１３を点滅させる。この操作はさよならボタン１ｄが押されるまで繰り返され、使用者がさよならボタン１ｄを押すとＳＷ４がＯＮして（ステップＳＴ１０）、ステップＳＴ１１に進んで、終了メッセージ（例えば「さようなら、またねー」）が出力され、作動信号が発信される。
【００２４】
作動信号を受信した動作玩具Ｂはモータ１１が作動して頭部が左右に揺動するとともに、携帯電話Ａ’のＬＥＤ１３が点滅する。終了メッセージが終了すると電源はＯＦＦし、再度電源ＯＮのボタンが押されるまでＯＦＦ状態を維持する。
【００２５】
上述したように、使用者が手にした携帯電話玩具Ａから全ての音声が出力され、動作玩具Ｂは音声を出力することはないが、動作玩具Ｂの擬似応答音声が携帯電話玩具Ａから出力されている間は携帯電話玩具Ａ側から動作玩具Ｂに対して作動信号が発信されているので、この作動信号を受信した動作玩具Ｂはモータ１１が作動して動作機構１５が作動するとともにＬＥＤ１３が点滅する。
【００２６】
動作機構１５が作動し、ＬＥＤ１３が点滅すると、動作玩具の頭部Ｂ１が左右に揺動して携帯電話Ａ’のＬＥＤ１３が点滅するので、あたかも動作玩具Ｂが電話をしているように見え、全ての音声の出力は携帯電話玩具Ａ側にあるにもかかわらず動作玩具Ａが主体性をもって動作しているような動きをするので、単に携帯電話から音声が出る携帯玩具と異なり、出力される音声にあわせて動作する動作玩具との間でコミュニケーションを取っているような楽しさを味わうことができる。
【００２７】
【発明の効果】
請求項１の発明によれば、動作玩具には動作玩具を動作させる動作機構が配置され、携帯電話玩具側で動作玩具の擬似応答音声が出力されとともに、作動信号が送信されるので、作動信号を受信した動作玩具は作動信号に基づいて動作機構が作動して動作するだけで音声を出力することはないが携帯電話玩具を介して動作玩具と電話をしているような楽しいコミュニケーションを味わうことができる。
【００２８】
請求項２の発明によれば、動作玩具が擬似応答する音声を出力するタイミングに、動作玩具を動作させる作動信号を携帯電話玩具が発信することにより、動作玩具の動作している状態で擬似応答の音声が出力されるので、無闇に動作玩具が作動することがなく自然なコミュニケーション状態が作られる。
【図面の簡単な説明】
【図１】本発明に係る擬似コミュニケーション玩具の構成を説明する斜視図
【図２】携帯電話玩具の構成を説明する斜視図
【図３】動作玩具に配置された動作機構の分解斜視図
【図４】（ａ）（ｂ）は上記動作機構の動作説明図
【図５】擬似コミュニケーション玩具の電気的構成を説明するブロック図
【図６】擬似コミュニケーション玩具の作動態様を説明するフローチャート図
【符号の説明】
１　操作部
２　音声検出部（マイク）
３　音声出力部（スピーカ）
４　発信部（赤外線ＬＥＤ）
６　制御部
１０　受信部
１４　制御部
１５　動作機構
Ａ　携帯電話玩具
Ｂ　動作玩具
【図１】
2004065595.tif 000003
【図２】
2004065595.tif 000004
【図３】
2004065595.tif 000005
【図４】
2004065595.tif 000006
【図５】
2004065595.tif 000007
【図６】
2004065595.tif 000008